(57)【要約】【課題】センサにおける検出結果を有効に利用したい。【解決手段】配信装置１０は、番組が含まれたデータ信号を端末装置１２へ送信する。端末装置１２は、配信装置１０からのデータ信号を受信し、番組を再生する。端末装置１２は、人間感知センサによって、所在している人間の数がしきい値よりも多くなったことを検知すると、検知結果を配信装置１０へ通知する。配信装置１０は、通知を受けつけると、端末装置１２へのデータ信号の送信を開始する。【選択図】図１
2010178298.tif 000002
【特許請求の範囲】
【請求項１】
番組が含まれたデータ信号を送信する配信装置と、
前記配信装置からのデータ信号を受信し、番組を再生する端末装置とを備え、
前記端末装置は、人間感知センサによって、所在している人間の数がしきい値よりも多くなったことを検知すると、検知結果を前記配信装置へ通知し、
前記配信装置は、前記端末装置からの通知を受けつけると、前記端末装置へのデータ信号の送信を開始することを特徴とする配信システム。
【請求項２】
前記端末装置は、人間感知センサによって、所在している人間の数がしきい値以下になったことを検知すると、検知結果を前記配信装置へ通知し、
前記配信装置は、前記端末装置からの通知を受けつけると、一定期間経過した後に、前記端末装置へのデータ信号の送信を停止することを特徴とする請求項１に記載の配信システム。
【請求項３】
センサにおける検出結果を取得する取得部と、
前記取得部において取得した検出結果を文字情報として、番組に挿入する挿入部と、
前記挿入部において文字情報が挿入された番組からデータ信号を生成し、データ信号を送信する送信部とを備え、
前記挿入部は、前記取得部において取得した検出結果が所定の条件を満たした場合に、警報情報を生成し、警報情報も番組に挿入することを特徴とする配信装置。
【請求項４】
前記取得部において取得した検出結果をもとに将来の状態を予想することによって、予報情報を生成する予報部をさらに備え、
前記挿入部は、前記予報部において生成した予報情報も番組に挿入することを特徴とする請求項３に記載の配信装置。
【発明の詳細な説明】
【技術分野】
【０００１】
本発明は、配信技術に関し、特に番組を配信する配信装置およびそれを利用した配信システムに関する。
【背景技術】
【０００２】
センサとは、あらゆる情報やエネルギーの検出手段であるといわれている。また、センサには、検出される物理量に応じてさまざまな種類が存在する。例えば、センサは、温度、湿度、紫外線強度、水位、雨量等を検知する。このような検出される物理量に応じてセンサの構成は一般的に異なる（例えば、非特許文献１参照）。
【先行技術文献】
【非特許文献】
【０００３】
【非特許文献１】谷腰欣司、センサのしくみ、日本、電波新聞社、２００４年３月
【発明の概要】
【発明が解決しようとする課題】
【０００４】
センサにおける検出結果の有効利用が望まれる。例えば、検出結果に応じて装置の動作を制御したり、検出結果をユーザへ通知したりすることが望まれる。前者の場合、検出結果と制御内容との間に何らかの関連性がなければ、有効な制御がなされなくなってしまう。後者の場合、ユーザに認識されなければ、有効な通知とはいえなくなる。一方、所定の番組を放送したり配信したりしているシステムにおいて、視聴者であるユーザは、番組の内容に注目している場合が多い。そのため、センサにおける検出結果の有効利用を目的として、配信システムとセンサとを組み合わせることが望まれる。
【０００５】
本発明はこうした状況に鑑みてなされたものであり、その目的は、センサにおける検出結果を有効に利用する技術を提供することにある。
【課題を解決するための手段】
【０００６】
上記課題を解決するために、本発明のある態様の配信システムは、番組が含まれたデータ信号を送信する配信装置と、配信装置からのデータ信号を受信し、番組を再生する端末装置とを備える。端末装置は、人間感知センサによって、所在している人間の数がしきい値よりも多くなったことを検知すると、検知結果を配信装置へ通知し、配信装置は、端末装置からの通知を受けつけると、端末装置へのデータ信号の送信を開始する。
【０００７】
この態様によると、人間感知センサによって、所在している人間の数がしきい値よりも多くなったことを検知すると、データ信号の送信を開始するので、人間が所在しない場合にデータ信号の送信を停止でき、センサにおける検出結果を有効に利用できる。
【０００８】
端末装置は、人間感知センサによって、所在している人間の数がしきい値以下になったことを検知すると、検知結果を配信装置へ通知し、配信装置は、端末装置からの通知を受けつけると、一定期間経過した後に、端末装置へのデータ信号の送信を停止してもよい。この場合、所在している人間の数がしきい値以下になったことを検知しても、一定期間経過した後にデータ信号の送信を停止するので、一定期間にわたってデータ信号の送信を継続できる。
【０００９】
本発明の別の態様は、配信装置である。この装置は、センサにおける検出結果を取得する取得部と、取得部において取得した検出結果を文字情報として、番組に挿入する挿入部と、挿入部において文字情報が挿入された番組からデータ信号を生成し、データ信号を送信する送信部とを備える。挿入部は、取得部において取得した検出結果が所定の条件を満たした場合に、警報情報を生成し、警報情報も番組に挿入する。
【００１０】
この態様によると、センサにおける検出結果とともに警告情報を番組に挿入するので、番組とともに検出結果と警告情報とを通知でき、センサにおける検出結果を有効に利用できる。
【００１１】
取得部において取得した検出結果をもとに将来の状態を予想することによって、予報情報を生成する予報部をさらに備えてもよい。挿入部は、予報部において生成した予報情報も番組に挿入してもよい。この場合、予報情報も番組に挿入するので、番組とともに予報情報を通知できる。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、センサにおける検出結果を有効に利用できる。
【図面の簡単な説明】
【００１４】
【図１】本発明の実施例に係る配信システムの構成を示す図である。
【図２】図１の配信装置による配信手順を示すフローチャートである。
【図３】本発明の変形例に係る配信システムの構成を示す図である。
【図４】図３の設定部に記憶されたテーブルのデータ構造を示す図である。
【図５】図３の配信装置による配信手順を示すフローチャートである。
【図６】本発明の別の変形例に係る挿入部の構成を示す図である。
【発明を実施するための形態】
【００１５】
本発明を具体的に説明する前に、概要を述べる。本発明の実施例は、所定の番組を配信する配信システムに関する。配信装置と端末装置とは、通信システムにて接続されており、配信装置は、番組が含まれたパケット信号を端末装置へ送信する。端末装置は、パケット信号に含まれた番組を再生するとともに、モニタに番組を表示する。ここで、端末装置が、駅やショッピングセンター等の場所に設置されている場合を想定する。モニタの前に人間が存在していない場合、番組の視聴者がいないにも関わらず、配信装置はパケット信号を送信し、端末装置はパケット信号を受信し、番組を再生している。その結果、電力が無駄に消費され、伝送帯域が無駄に使用されている。電力や伝送帯域を有効に使用するために、実施例に係る配信システムは、次の処理を実行する。
【００１６】
端末装置は、人間感知センサを搭載する。人間感知センサは、周囲の人間の存在を検出する。このような人間感知センサを使用することによって、端末装置は、周囲に人間が存在していない状態から人間が存在する状態への遷移（以下、「第１遷移」という）と、周囲に人間が存在している状態から人間が存在していない状態への遷移（以下、「第２遷移」という）を検出する。ここで、初期状態として、配信装置から端末装置へのパケット信号の送信は停止されているものとする。その結果、端末装置はモニタへ番組を表示していない。
【００１７】
端末装置は、第１遷移を検出すると、検出結果が含まれたパケット信号を生成し、パケット信号を配信装置へ送信する。配信装置は、パケット信号から検出結果を抽出すると、番組が含まれたパケット信号の送信を開始する。端末装置は、パケット信号に含まれた番組を再生し、番組をモニタへ表示する。一方、端末装置は、第２遷移を検出しても、検出結果が含まれたパケット信号を生成し、パケット信号を配信装置へ送信する。配信装置は、パケット信号から検出結果として第２遷移を検出すると、タイマーを起動する。所定期間にわたって、端末装置から第１遷移を検出しなければ、配信装置は、番組が含まれたパケット信号の送信を停止する。
【００１８】
図１は、本発明の実施例に係る配信システム１００の構成を示す。配信システム１００は、配信システム１００は、配信装置１０、端末装置１２を含む。配信装置１０は、データ生成部２０、ベースバンド処理部２２、無線部２４、配信装置用アンテナ２６、抽出部２８、設定部３０、制御部３２を含み、端末装置１２は、端末装置用アンテナ５０、無線部５２、ベースバンド処理部５４、再生部５６、表示部５８、人間感知センサ６０、判定部６２、生成部６４、制御部６６を含む。図１において、配信装置１０と端末装置１２とがひとつずつ含まれているが、配信システム１００には、複数の端末装置１２が含まれてもよい。
【００１９】
配信装置１０において、データ生成部２０は、番組を受けつける。ここで、番組は、動画像であるとするが、以下の説明において、動画像そのものあるいは動画像データを区別せずに動画像というものとする。また、動画像は、複数のフレームによって形成されている。また、データ生成部２０は、動画像に対して符号化を実行する。符号化には、ＭＰＥＧ（Ｍｏｖｉｎｇ  Ｐｉｃｔｕｒｅ  Ｅｘｐｅｒｔｓ  Ｇｒｏｕｐ）等が使用されればよいが、それは公知の技術であるので、ここでは説明を省略する。データ生成部２０は、符号化した動画像（以下、これもまた「動画像」や「番組」という）をベースバンド処理部２２へ出力する。
【００２０】
ベースバンド処理部２２は、データ生成部２０から動画像を受けつける。ベースバンド処理部２２は、動画像を複数に分割し、分割した動画像のそれぞれをパケット信号に格納する。その結果、ベースバンド処理部２２は、動画像を複数のパケット信号に格納する。ここで、パケット信号として、例えば、ＩＰ（Ｉｎｔｅｒｎｅｔ  Ｐｒｏｔｏｃｏｌ）パケットが使用され、パケット信号のあて先として端末装置１２が設定される。ベースバンド処理部２２は、パケット信号を変調することによって、中間周波数帯のパケット信号（以下、これも「パケット信号」という）を生成し、パケット信号を無線部２４へ出力する。
【００２１】
無線部２４は、ベースバンド処理部２２からパケット信号を受けつける。無線部２４は、パケット信号を無線周波数帯域へ周波数変換し、周波数変換したパケット信号（以下、これも「パケット信号」という）を生成する。無線部２４は、パケット信号を増幅した後、配信装置用アンテナ２６からパケット信号を送信する。なお、初期の状態において、データ生成部２０、ベースバンド処理部２２、無線部２４は、パケット信号を送信するための処理、つまり番組を配信するための処理を停止している。
【００２２】
端末装置１２において無線部５２は、端末装置用アンテナ５０を介して、配信装置１０からのパケット信号を受信する。無線部５２は、パケット信号を中間周波数帯へ周波数変換し、周波数変換したパケット信号（以下、これも「パケット信号」という）を生成する。このように無線部５２は、無線部２４に対応した処理を実行する。無線部５２は、パケット信号をベースバンド処理部５４へ出力する。ベースバンド処理部５４は、無線部５２からパケット信号を受けつけ、パケット信号を復調することによって、パケット信号に格納された動画像を抽出する。このようにベースバンド処理部５４は、ベースバンド処理部２２に対応した処理を実行する。ベースバンド処理部５４は、動画像を再生部５６へ出力する。
【００２３】
再生部５６は、ベースバンド処理部５４から動画像を受けつけ、動画像を再生する。つまり、再生部５６は、番組を再生する。このように再生部５６は、データ生成部２０に対応した処理を実行する。また、再生部５６は、再生した番組を表示部５８に表示させる。前述のごとく、初期の状態において、配信装置１０は、パケット信号の送信を停止しているので、端末装置１２は、パケット信号の受信および番組の再生を停止しているものとする。
【００２４】
人間感知センサ６０は、周囲の人間の所在を検出するためのセンサである。人間感知センサ６０には公知の技術が使用されればよいので、ここでは説明を省略する。人間感知センサ６０は、人間が所在しているか否かに関する情報を適宜判定部６２へ出力する。例えば、人間感知センサ６０は、人間が所在しているか否かの情報を定期的に判定部６２へ出力する。
【００２５】
判定部６２は、人間感知センサ６０からの情報を受けつけ、情報の内容を監視する。判定部６２は、情報をもとに、人間が所在していない状態から人間が所在している状態への遷移（前述のごとく、「第１遷移」という）や人間が所在している状態から人間が所在していない状態への遷移（前述のごとく、「第２遷移」という）を検出する。つまり、判定部６２は、しきい値を「０」人とし、所在している人間の数がしきい値よりも多くなる方への第１遷移や所在している人間の数がしきい値以下になる方への第２遷移を検出する。なお、初期の状態において、配信装置１０は、パケット信号の送信を停止しているので、判定部６２は、第１遷移をまず検出する。判定部６２は、第１遷移を検出すると、その旨を生成部６４へ出力する。
【００２６】
生成部６４は、判定部６２から第１遷移を通知されると、第１遷移が示された情報（以下、「開始指示」という）を生成する。生成部６４は、開始指示をベースバンド処理部５４へ出力する。ベースバンド処理部５４は、開始指示が格納されたパケット信号を生成する。なお、この場合におけるベースバンド処理部５４の処理は、ベースバンド処理部２２と同様であるので、ここでは説明を省略する。無線部５２は、端末装置用アンテナ５０を介してパケット信号を配信装置１０へ送信する。なお、この場合における無線部５２の処理は、無線部２４と同様であるので、ここでは説明を省略する。その結果、無線部５２は、人間感知センサ６０での検知結果を配信装置１０へ通知する。
【００２７】
配信装置１０において無線部２４は、配信装置用アンテナ２６を介して、端末装置１２からのパケット信号をベースバンド処理部２２へ出力する。ベースバンド処理部２２は、ベースバンド処理部５４と同様の処理を実行することによって、パケット信号から開始指示を抽出する。ベースバンド処理部２２は、開始指示を抽出部２８へ出力する。抽出部２８は、ベースバンド処理部２２からの開始指示を受けつける。抽出部２８は、開始指示をもとに、端末装置１２への番組の配信開始を決定する。また、抽出部２８は、配信開始の決定を設定部３０へ出力する。
【００２８】
設定部３０は、抽出部２８から配信開始の決定指示を受けつける。また、設定部３０は、パケット信号に含まれた送信元に関する情報から、番組の送信対象になる端末装置１２も特定する。設定部３０は、番組の宛先を特定しながら、番組の配信開始をデータ生成部２０へ指示する。その結果、データ生成部２０、ベースバンド処理部２２、無線部２４は、前述の処理を実行することによって、端末装置１２へのパケット信号の送信を開始する。一方、これに応じて、端末装置１２の無線部５２、ベースバンド処理部５４、再生部５６は、パケット信号の受信および番組の再生を開始する。最終的に、表示部５８は、番組の表示を開始する。制御部３２は、配信装置１０の動作を制御し、制御部６６は、端末装置１２の動作を制御する。
【００２９】
以上の状況下において、端末装置１２の判定部６２は、第２遷移を検出する。つまり、判定部６２は、人間感知センサ６０によって、所在している人間の数がしきい値以下になったことを検知する。判定部６２は、その旨を生成部６４へ出力する。生成部６４は、判定部６２から第２遷移を通知されると、第２遷移が示された情報（以下、「中止指示」という）を生成する。生成部６４は、中止指示をベースバンド処理部５４へ出力する。ベースバンド処理部５４は、中止指示が格納されたパケット信号を生成する。無線部５２は、端末装置用アンテナ５０を介してパケット信号を配信装置１０へ送信する。
【００３０】
配信装置１０での抽出部２８は、ベースバンド処理部５４からの中止指示を受けつける。抽出部２８は、中止指示を受けつけると、タイマーを開始する。また、抽出部２８は、一定期間経過した後に、端末装置１２への番組の配信停止を決定する。なお、一定期間経過する前に、新たな開始指示を受けつけると、抽出部２８は、中止指示を受けつけたことを解除する。つまり、このような場合に、配信装置１０は、端末装置１２へ番組を継続して配信する。抽出部２８は、配信停止を決定した場合、配信停止の決定を設定部３０へ出力する。
【００３１】
設定部３０は、抽出部２８から配信停止の決定指示を受けつける。設定部３０は、番組の配信停止をデータ生成部２０へ指示する。その結果、データ生成部２０、ベースバンド処理部２２、無線部２４は、端末装置１２へのパケット信号の送信を停止する。一方、これに応じて、端末装置１２の無線部５２、ベースバンド処理部５４、再生部５６は、パケット信号の受信および番組の再生を停止する。最終的に、表示部５８は、番組の表示を停止する。
【００３２】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３３】
以上の構成による配信システム１００の動作を説明する。図２は、配信装置１０による配信手順を示すフローチャートである。データ生成部２０が、番組を送信していない場合に（Ｓ１０のＮ）、抽出部２８が開始指示を受けつければ（Ｓ１２のＹ）、設定部３０は、データ生成部２０に番組の送信を開始させる（Ｓ１４）。抽出部２８が開始指示を受けつけなければ（Ｓ１２のＮ）、ステップ１４はスキップされる。一方、データ生成部２０が番組を送信中である場合に（Ｓ１０のＹ）、抽出部２８が中止指示を受けつけ（Ｓ１６のＹ）、さらに開始指示を受けつけなければ（Ｓ１８のＮ）、抽出部２８は、中止指示を受けつけてから一定期間経過しているかを確認する（Ｓ２０）。
【００３４】
一定期間経過していれば（Ｓ２０のＹ）、設定部３０は、データ生成部２０に番組の送信を中止させる（Ｓ２２）。一定期間経過していなければ（Ｓ２０のＮ）、ステップ２２はスキップされる。抽出部２８が開始指示を受けつけた場合（Ｓ１８のＹ）、抽出部２８は、中止指示の受付をクリアする（Ｓ２４）。また、抽出部２８が中止指示を受けつけなければ（Ｓ１６のＮ）、データ生成部２０は、番組の送信を続行する。
【００３５】
以下、本発明の変形例を説明する。変形例に係る配信システム１００でも、配信装置１０は、端末装置１２へ番組を配信し、端末装置１２は、センサを備える。ここで、センサは、人間感知センサではなく、温度センサや湿度センサを対象とする。また、変形例では、センサでの検出結果を有効にユーザへ通知することを目的とする。端末装置１２は、センタでの検出結果が含まれたパケット信号を生成し、パケット信号を配信装置１０へ送信する。配信装置１０は、パケット信号に含まれた検出結果を抽出し、検出結果を文字情報として、番組の一部領域に挿入する。また、配信装置１０は、検出結果が所定の条件を満たす場合に、警報情報を生成し、警報情報も番組の一部領域に挿入する。配信装置１０は、これらの挿入がなされた番組を含めるようにパケット信号を生成し、パケット信号を端末装置１２へ送信する。端末装置１２は、一部領域に検出結果や警報情報が示された番組を再生し、番組をモニタへ表示する。
【００３６】
図３は、本発明の変形例に係る配信システム１００の構成を示す。配信システム１００は、配信装置１０、端末装置１２を含む。配信装置１０は、データ生成部２０、ベースバンド処理部２２、無線部２４、配信装置用アンテナ２６、抽出部２８、制御部３２、挿入部３４を含み、端末装置１２は、端末装置用アンテナ５０、無線部５２、ベースバンド処理部５４、再生部５６、表示部５８、生成部６４、制御部６６、センサ７０を含む。また、挿入部３４は、判定部３６、情報生成部３８、設定部４０を含む。
【００３７】
ベースバンド処理部２２、無線部２４、配信装置用アンテナ２６、端末装置用アンテナ５０、無線部５２は、図１での説明と同様であるので、ここでは、これらの説明を省略する。端末装置１２でのセンサ７０は、周囲の温度や湿度を測定するためのセンサである。温度センサや湿度センサには公知の技術が使用されればよいので、ここでは説明を省略する。センサ７０は、温度の値と湿度の値とを適宜生成部６４へ出力する。例えば、センサ７０は、温度の値と湿度の値とを定期的に生成部６４へ出力する。
【００３８】
生成部６４は、センサ７０から、温度の値と湿度の値とを受けつけると、温度の値と湿度の値とが含まれた情報（以下、「検出情報」という）を生成する。生成部６４は、検出情報をベースバンド処理部５４へ出力する。ベースバンド処理部５４は、検出情報が格納されたパケット信号を生成し、無線部５２、端末装置用アンテナ５０を介して、配信装置１０へパケット信号を送信する。
【００３９】
配信装置１０においてベースバンド処理部２２は、無線部２４を介して受信したパケット信号から検出情報を抽出する。ベースバンド処理部２２は、検出情報を抽出部２８へ出力する。抽出部２８は、ベースバンド処理部２２からの検出情報を受けつける。抽出部２８は、判定部３６と情報生成部３８へ、検出情報における温度の値と湿度の値とを出力する。
【００４０】
判定部３６は、抽出部２８から、温度の値と湿度の値とを受けつける。判定部３６は、温度に対するしきい値（以下、「温度用しきい値」という）と湿度に対するしきい値（以下、「湿度用しきい値」という）とを予め保持する。判定部３６は、温度の値が温度用しきい値よりも高い場合に、温度に対する警告情報（以下、「温度用警告情報」という）を生成する。また、判定部３６は、湿度の値が湿度用しきい値よりも高い場合に、湿度に対する警告情報（以下、「湿度用警告情報」という）を生成する。ここでは、温度用警告情報と湿度用警告情報を「警告情報」と総称する。なお、警告情報には、温度用警告情報と湿度用警告情報とが含まれる場合もあれば、それらのうちのいずれか一方のみが含まれる場合もある。つまり、判定部３６は、温度の値や湿度の値が所定の条件を満たした場合に、警報情報を生成する。判定部３６は、警告情報を情報生成部３８へ出力する。
【００４１】
情報生成部３８は、抽出部２８から、温度の値と湿度の値とを受けつける。また、情報生成部３８は、警告情報が生成された場合に、判定部３６からの警告情報も受けつける。情報生成部３８は、温度の値と湿度の値と警告情報とを組み合わせることによって、ユーザへ通知すべき情報（以下、「通知情報」という）を生成する。なお、情報生成部３８が警告情報を受けつけない場合、警告情報は通知情報から除外される。情報生成部３８は、通知情報を設定部４０へ出力する。
【００４２】
設定部４０は、情報生成部３８から通知情報を受けつける。また、設定部４０は、パケット信号に含まれた送信元に関する情報を取得することによって、送信元の端末装置１２を特定する。送信元に関する情報は、例えば、ＩＰアドレスによって示される。ここで、送信元の端末装置１２を特定することは、センサ７０が搭載された端末装置１２を特定することに相当する。なお、配信システム１００に含まれた複数のセンサ７０のそれぞれには、「センサ番号」が予め付与されている。設定部４０は、センサ番号と、当該センサ番号に対応したセンサ７０からの通知情報を送信すべき端末装置１２との関係をテーブルとして予め記憶する。
【００４３】
図４は、設定部４０に記憶されたテーブルのデータ構造を示す。図示のごとく、センサ番号欄２００、送信対象端末装置欄２０２が含まれる。センサ番号欄２００には、センサ番号の一覧が示されており、送信対象端末装置欄２０２には、センサ番号に対応した端末装置１２からの通知情報を送信すべき端末装置１２の識別番号が示されている。図３に戻る。このようなテーブルを参照しながら、設定部４０は、通知情報を送信すべき端末装置１２を限定するので、通知情報によって注意を促させる端末装置１２だけに通知情報が送信される。つまり、通知情報を不要とする端末装置１２への通知情報の送信が抑制される。
【００４４】
設定部４０は、端末装置１２を特定しながら、通知情報の挿入をデータ生成部２０へ指示する。データ生成部２０は、前述の番組、具体的には、動画像の各フレームの一部領域に通知情報を挿入する。また、データ生成部２０は、通知情報が挿入された動画像に対して符号化を実行する。つまり、データ生成部２０は、通知情報を文字情報として、番組に挿入するとともに、警報情報も番組に挿入する。ベースバンド処理部２２、無線部２４は、これまでと同様に、番組が格納されたパケット信号を端末装置１２へ送信する。
【００４５】
図示しない端末装置１２のベースバンド処理部５４は、前述のごとく、無線部５２からパケット信号を受けつけ、パケット信号を復調することによって、パケット信号に格納された動画像を抽出する。ここで、動画像の各フレームの一部領域に通知情報が挿入されている。再生部５６は、ベースバンド処理部５４から動画像を受けつけ、動画像を再生する。つまり、再生部５６は、番組を再生する。ここで、番組とともに、通知情報も再生される。また、再生部５６は、再生した番組を表示部５８に表示させる。その結果、通知情報が視聴者に通知される。
【００４６】
図５は、配信装置１０による配信手順を示すフローチャートである。データ生成部２０は、番組を取得する（Ｓ５０）。抽出部２８は、検出情報を取得する（Ｓ５２）。判定部３６において、検出情報に含まれた検出結果が条件を満足していれば（Ｓ５４のＹ）、判定部３６は、警報情報を生成する（Ｓ５６）。設定部４０は、データ生成部２０に対して、検出結果、警報情報を番組に埋め込ませる（Ｓ５８）。判定部３６において、検出情報に含まれた検出結果が条件を満足していなければ（Ｓ５４のＮ）、設定部４０は、データ生成部２０に対して、検出結果を番組に埋め込ませる（Ｓ６０）。
【００４７】
以下、本発明の別の変形例を説明する。別の変形例に係る配信システム１００も、変形例に係る配信システム１００と同様に、センサでの検出結果を有効にユーザへ通知することを目的とする。ここで、センサは、雨量センサを対象とする。別の変形例に係る配信装置１０は、変形例に係る配信装置１０での処理に加えて、検出結果をもとに将来的な予報情報を生成し、予報情報も番組の一部領域に挿入する。端末装置１２は、一部領域に検出結果、警報情報、予報情報が示された番組を再生し、番組をモニタへ表示する。別の変形例に係る配信システム１００は、図３に示された配信システム１００と同様のタイプである。そのため、ここでは、差異を中心に説明する。端末装置１２のセンサ７０は、道路の雨量、例えば単位時間あたりの雨量を測定するためのセンサである。雨量センサには公知の技術が使用されればよいので、ここでは説明を省略する。センサ７０は、雨量の値を適宜生成部６４へ出力する。
【００４８】
図６は、本発明の別の変形例に係る挿入部３４の構成を示す。挿入部３４は、判定部３６、情報生成部３８、設定部４０、予報部４２を含む。判定部３６は、抽出部２８から、雨量の値を受けつける。判定部３６は、雨量に対するしきい値（以下、「雨量用しきい値」という）を予め保持する。判定部３６は、雨量の累積値が雨量用しきい値よりも高い場合に、雨量に対する警告情報（以下、「雨量用警告情報」という）を生成する。具体的に説明すると、雨量用警告情報では、道路が封鎖される旨が示されている。ここでは、雨量用警告情報も「警告情報」と総称する。つまり、判定部３６は、雨量の値が所定の条件を満たした場合に、警報情報を生成する。判定部３６は、警告情報を情報生成部３８へ出力する。
【００４９】
予報部４２も、抽出部２８から、雨量の値を受けつける。予報部４２は、過去に受けつけた雨量の値も使用しながら、例えば、現在の時刻から１時間先の雨量の値（以下、「予測値」という）を推定する。ここで、予報部４２は、これまでに受けつけた雨量の値に対して外挿補間を実行することによって、将来予測カーブを導出する。また、予報部４２は、将来予測カーブから予測値を導出する。さらに、予報部４２は、予測値に対するしきい値（以下、「予測値用しきい値」という）を予め保持する。予報部４２は、予測値が予測値用しきい値よりも大きい場合に、予測値に対する警告情報（以下、「予報情報」という）を生成する。具体的に説明すると、予報情報では、１時間先に道路が封鎖されるおそれが注意されている。つまり、予報部４２は、雨量の量をもとに将来の状態を予想することによって、予報情報を生成する。予報部４２は、予報情報を情報生成部３８へ出力する。
【００５０】
情報生成部３８は、抽出部２８から、雨量の値を受けつける。また、情報生成部３８は、警告情報や予報情報が生成された場合に、判定部３６からの警告情報や予報部４２からの予報情報も受けつける。情報生成部３８は、雨量の値、警告情報、予報情報を組み合わせることによって、通知情報を生成する。なお、情報生成部３８が警告情報や予報情報を受けつけない場合、警告情報や予報情報は通知情報から除外される。情報生成部３８は、通知情報を設定部４０へ出力する。前述のごとく、通知情報は、図示しない端末装置１２の表示部５８において番組の一部領域に表示される。その結果、予報情報も視聴者に通知される。
【００５１】
本発明の実施例によれば、人間感知センサによって、所在している人間の数がしきい値よりも多くなったことを検知すると、パケット信号の送信を開始するので、人間が所在しない場合にパケット信号の送信を停止できる。また、人間が所在しない場合にパケット信号の送信が停止されるので、電力の無駄な消費や、伝送帯域の無駄な使用を抑制できる。また、電力の無駄な消費や、伝送帯域の無駄な使用が抑制されるので、センサにおける検出結果を有効に利用できる。また、所在している人間の数がしきい値以下になったことを検知しても、一定期間経過した後にパケット信号の送信を停止するので、一定期間にわたってパケット信号の送信を継続できる。また、一定期間にわたってパケット信号の送信が継続されるので、番組の表示と停止が頻繁に繰り返される状態の発生を抑制できる。また、番組の表示と停止が頻繁に繰り返される状態の発生が抑制されるので、ユーザの利便性を向上できる。
【００５２】
この態様によると、センサにおける検出結果とともに警告情報を番組に挿入するので、番組とともに検出結果と警告情報とを通知できる。また、番組とともに検出結果と警告情報とが通知されるので、検出結果をユーザに着目されやすくできる。また、検出結果がユーザに着目されるので、センサにおける検出結果を有効に利用できる。また、河川の周囲にいる場合に、温度や湿度をリアルタイムに通知できる。また、温度や湿度がリアルタイムに通知されるので、避難や通報を早期に実行できる。また、道路の封鎖に関する警報情報を送信するので、道路の封鎖を早期に通知できる。また、道路の封鎖が早期に通知されるので、迂回などを早期に実行できる。また、迂回などが早期に実行されるので、渋滞を緩和できる。また、予報情報も番組に挿入するので、番組とともに予報情報を通知できる。
【００５３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５４】
本発明の実施例において、配信装置１０と端末装置１２との間の通信システムが、無線ＬＡＮシステムであるとしている。しかしながらこれに限らず例えば、通信システムが有線ＬＡＮシステムであってもよく、その他の通信システムであってもよい。本変形例によれば、配信システム１００の構成の自由度を向上できる。
【００５５】
本発明の実施例において、判定部６２は、ひとつのしきい値を設定し、これをもとに第１遷移や第２遷移を検出する。しかしながらこれに限らず例えば、複数種類のしきい値が設定されてもよく、しきい値が「０」人以外の値であってもよい。本変形例によれば、人間が所在している場合に、さまざまな状態に応じてパケット信号の送信を制御できる。
【００５６】
本発明の実施例において、センサ７０は、温度や湿度を検出するためのセンサであるとしている。しかしながらこれに限らず例えば、センサ７０は、次に示すようなセンサであってもよい。
（１）ＵＶ（紫外線強度）センサ
ＵＶセンサでのＵＶ強度が番組に埋め込まれる。また、ＵＶ強度が所定の値よりも大きい場合に、警告情報が生成される。本変形例によれば、河川の周囲にいる場合に、ＵＶ値をリアルタイムに通知できる。また、ＵＶ値がリアルタイムに通知されるので、避難や通報を早期に実行できる。
（２）水位、流量センサ
水位、流量センサでの水位や流量が番組に埋め込まれる。また、水位や流量が所定の値よりも大きい場合に、警告情報が生成される。本変形例によれば、河川の周囲にいる場合に、水位や流量をリアルタイムに通知できる。また、水位や流量がリアルタイムに通知されるので、避難や通報を早期に実行できる。
【００５７】
本発明の実施例において、配信装置１０と端末装置１２との間では、無線回線を介して、信号が送信されている。しかしながらこれに限らず例えば、配信装置１０と端末装置１２との間では、有線回線を介して、信号が送信されてもよい。つまり、配信装置１０と端末装置１２とは、ケーブルにて接続されていてもよい。具体的には、有線ＬＡＮやケーブルテレビジョン放送システムに本発明が適用される。本変形例によれば、本発明を様々なシステムに適用できる。
【００５８】
本発明の実施例において、表示部５８は、端末装置１２に含まれている。しかしながらこれに限らず例えば、表示部５８は、端末装置１２と別の装置にて構成され、端末装置１２と無線回線を介して接続されてもよい。このような場合、端末装置１２は、基地局装置に相当し、表示部５８を含んだ装置が携帯電話端末装置等に相当する。そのため、人間感知センサ６０やセンサ７０は基地局装置に備えられており、基地局装置が収集したセンサ情報が携帯電話端末装置等にて表示される。本変形例によれば、本発明を様々なシステムに適用できる。
【００５９】
本発明の実施例において、ひとつの端末装置１２が示されている。しかしながらこれに限らず例えば、前述のごとく、複数の端末装置１２が備えられてもよい。さらに、配信装置１０は、複数の端末装置１２から取得したセンサ情報を合成して利用してもよい。具体的に説明すると、端末装置１２が配置された位置に応じてセンサ情報を地図上に割り当てることによって、センサ情報が、文字情報ではなく、地図情報や画像情報に変換される。配信装置１０は、このような地図情報や画像情報を配信してもよい。本変形例によれば、ユーザにとって確認しやすいような形式でセンサ情報を配信できる。
【００６０】
本発明の実施例において、配信システム１００には、１種類のセンサが備えられている。しかしながらこれに限らず例えば、配信システム１００に複数種類のセンサが備えられていてもよい。配信装置１０は、複数種類のセンサ情報を使用して天気予報を実行する。具体的には、温度に関するセンサ情報と湿度に関するセンサ情報とを使用して、雨、みぞれ、雪の予報がなされる。本変形例によれば、詳細な天気予報を実行できる。
【符号の説明】
【００６１】
１０  配信装置、  １２  端末装置、  ２０  データ生成部、  ２２  ベースバンド処理部、  ２４  無線部、  ２６  配信装置用アンテナ、  ２８  抽出部、  ３０  設定部、  ３２  制御部、  ３４  挿入部、  ３６  判定部、  ３８  情報生成部、  ４０  設定部、  ４２  予報部、  ５０  端末装置用アンテナ、  ５２  無線部、  ５４  ベースバンド処理部、  ５６  再生部、  ５８  表示部、  ６０  人間感知センサ、  ６２  判定部、  ６４  生成部、  ６６  制御部、  ７０  センサ、  １００  配信システム。
【図１】
2010178298.tif 000003
【図２】
2010178298.tif 000004
【図３】
2010178298.tif 000005
【図４】
2010178298.tif 000006
【図５】
2010178298.tif 000007
【図６】
2010178298.tif 000008